(57)【要約】  本発明は、液を排出後に注出口付近に溜まっている液を、更に効率的にボトル内部に戻す機構を実現するプッシュプルキャップを提供する。  本発明は、容器（１０）に装着されて、容器をスクイズすることによって内容物を注出するプッシュプルキャップであって、キャップ本体（１２）と、キャップ本体（１２）に立設された棒状栓体（１２ｃ）で液密に装着されて上下動可能とされたオーバーキャップ（１４）を有し、このオーバーキャップ（１４）が、天部（１６）に液体を注出する注出口（１８）を有すると共に注出口（１８）を囲んで容器（１０）側に垂下する筒状部（２０）を有し、この筒状部（２０）の内部形状が注出口（１８）から下方に向けて漸次拡開するものである。
2015159888.tif 000002
【特許請求の範囲】
【請求項１】
容器に装着されて、容器をスクイズすることによって内容物を注出するプッシュプルキャップであって、  キャップ本体と、キャップ本体に立設された棒状栓体で液密に装着され、上下動可能とされたオーバーキャップを有し、  このオーバーキャップが、天部に液体を注出する注出口を有すると共に注出口を囲んで容器側に垂下する筒状部を有し、この筒状部の内部形状が注出口から下方に向けて漸次拡開することを特徴とするプッシュプルキャップ。
【請求項２】
前記オーバーキャップを上方へ稼動させた開口時に、  注出口の開口面積をＳ１とし、キャップ本体の棒状栓体先端側におけるオーバーキャップとの嵌合部の先端部における液流路面積をＳ２としたときに、  １≦（Ｓ２／Ｓ１）≦２であることを特徴とする請求項１に記載のプッシュプルキャップ。
【請求項３】
前記オーバーキャップ内部の筒状部の内部形状が、注出口から下方に向けて漸次拡開する円錐形状を有することを特徴とする請求項１又は２に記載のプッシュプルキャップ。
【発明の詳細な説明】
【技術分野】
【０００１】  本発明は、オーバーキャップを押し引きして開閉するプッシュプルキャップ及びそれを備えた液体注出容器に関する。
【背景技術】
【０００２】  成形されたプラスチックボトルの中には、プッシュプルキャップと呼ばれるキャップが装着されたものがあり、このプッシュプルキャップは、押し込む（プッシュ）操作と引っ張る（プル）操作によってキャップの注出口を開閉することが可能となっている（特許文献１参照）。【０００３】  一般に、開閉するプッシュプルキャップにおいて、容器胴部を把持した際等に、前回使用時に注出口付近に残った液による泡飛びや液飛びを防止することが種々に考えられているが、更に十分さが求められている。【０００４】  例えば、プッシュプルキャップ以外のキャップの液戻し構造に関して、特許文献２には注出口に一体の密閉部材を使用時に取り去る液体洗浄剤製品が開示されている。この特許文献２に記載の液体洗浄剤製品では、キャップの天井部に注出口が形成されると共に、キャップの内部側には、注出口の開口部周辺に、注出口内面に延長させるか注出口に近接させて開口を囲む遮蔽壁が設けられている。そして、遮蔽壁の容器側開口に傾斜部を形成しており、この傾斜部を液がつたうことで、液戻し促進を図っている。【０００５】  しかしながら、この特許文献２記載のキャップの機構を、プッシュプルキャップに採用した場合、容器口元内に挿入する遮蔽壁が寸法を要するのでオーバーキャップの外径が大きくなってしまい、デザイン上の制約や、樹脂量増加などが問題となる。【０００６】  一方、プッシュプルキャップに関する特許文献３では、筒状部の内壁に非対称形状の段差の設置により、液戻しを促進している。
【先行技術文献】
【特許文献】
【０００７】
【特許文献１】特開２００８−１３７７０１号公報
【特許文献２】特開平１１−７０９６２号公報
【特許文献３】特許第３９５５４２０号公報
【発明の概要】
【発明が解決しようとする課題】
【０００８】  しかしながら、ボトル胴部スクイズによる内容液排出後のボトル復元体積が小さい場合や、又は、内容液の粘度が高い場合に、上記特許文献等の既存の抑制機構では、液の戻りが不十分であり、泡飛びが発生してしまうことが確認された。【０００９】  本発明は、斯かる実情に鑑み、液を排出後に注出口付近に溜まっている液を、更に効率的にボトル内部に戻す機構を実現するプッシュプルキャップを提供するものである。
【課題を解決するための手段】
【００１０】  本発明は、容器（ボトル）に装着されて、容器をスクイズすることによって内容物を注出するプッシュプルキャップであって、キャップ本体と、キャップ本体に立設された棒状栓体でキャップ本体に液密に装着され、上下動可能とされたオーバーキャップを有し、このオーバーキャップが、天部に液体を注出する注出口を有すると共に注出口を囲んで容器側に垂下する筒状部を有し、この筒状部の内部形状が注出口から下方に向けて漸次拡開することを特徴とするプッシュプルキャップである。【００１１】  本発明においては、上記オーバーキャップを上方へ稼動させた開口時に、注出口の開口面積をＳ１とし、キャップ本体の棒状栓体先端側におけるオーバーキャップとの嵌合部の先端部における液流路面積をＳ２としたときに、１≦（Ｓ２／Ｓ１）≦２であることが好適である。【００１２】  本発明においては、上記オーバーキャップ内部の筒状部の内部形状が、注出口から下方に向けて漸次拡開する円錐形状を有することが好適である。
【発明の効果】
【００１３】  発明者の知見によれば、泡飛び発生に最も影響するのは、「注出口内部に残留した液」である。【００１４】  本発明のプッシュプルキャップによれば、オーバーキャップが、天部に液体を注出する注出口を有すると共に注出口を囲んで容器側に垂下する筒状部を有し、この筒状部の内部形状が注出口から下方に向けて漸次拡開しており、液が局所的に留まりづらくなり、内容液の排出後に容器が復元する際に、キャップ内部へスムーズに引き込まれ、効率的に落とすことができる。【００１５】  したがって、内容液の排出後に容器の復元力・復元体積が小さい場合（角形ボトル等）や、内容液の粘度が高い場合、既存の抑制機構では、液の戻りが不十分である場合も、注出口付近の残液もキャップ内に効率的に落とすことができる。【００１６】  なお、筒状部において注出口から下の内壁の内部形状を、段差や屈曲点を設けず、漸次拡開した形状、特に、円錐形状にすることで、一層溜まりにくくすることができる。
【図面の簡単な説明】
【００１７】
【図１】本発明の実施形態に係るプッシュプルキャップを容器に嵌合した液体注出容器の縦断した説明図で、（ａ）が開口時、（ｂ）が閉口時のものである。
【図２】（ａ）がプッシュプルキャップの縦断した開口面積と液流路面積の説明図、（ｂ）が液流路部の断面図である。
【発明を実施するための形態】
【００１８】  以下、本発明の実施形態について添付図面を参照して説明する。
【００１９】  図１は、本発明の実施形態に係るプッシュプルキャップを設けた注出用容器の説明図で、（ａ）が開口時、（ｂ）が閉口時をそれぞれ示す。
【００２０】  実施形態に係るプッシュプルキャップは、容器（ボトル）１０に装着されて、容器１０をスクイズすることによって内容物を注出するものである。なお、容器１０はブロー成型や樹脂成型したものであり、押圧・非押圧したときに弾性変形・弾性復帰する構造のものであればよい。
【００２１】  プッシュプルキャップは、容器１０の上端に細径の口元部１０ａに外側からネジ結合しているキャップ本体１２と、キャップ本体１２に立設された棒状栓体１２ｃで液密に装着されて上下動可能とされたオーバーキャップ１４とを有する。
【００２２】  このオーバーキャップ１４は、天部１６に液体を注出する注出口１８を有すると共に注出口１８を囲んで容器１０側に垂下する筒状部２０を有し、この筒状部２０の内周（内部形状）が注出口１８から下方に向けて漸次拡開する。
【００２３】  詳しくは、キャップ本体１２は、上下に連通された概略回転体であり、下部１２ａが袴状に広がって容器１０の肩部を覆い、その内部に筒状部に雌ねじが形成されて容器１０の口元部１０ａに螺合している。上部に筒状受け部１２ｂが上方向きに延在し、筒状受け部１２ｂの内周に、オーバーキャップ１４の内側の筒状部２０が挿入されている。また、キャップ本体１２には、筒状部２０に取り囲まれた軸心位置に棒状栓体１２ｃが上方に延在して立設している。キャップ本体１２では、下部１２ａと筒状受け部１２ｂとの間に仕切り壁が形成され、その仕切り壁には同心状に筒状受け部１２ｂと棒状栓体１２ｃが立設すると共に、棒状栓体１２ｃに隣接して仕切り壁を貫通する流通孔１２ｄが形成されている。
【００２４】  オーバーキャップ１４には、筒状部２０を取り囲んで外壁部１４ａが互いの間に隙間を置いて天部１６で連続されて形成されている。この隙間内に筒状受け部１２ｂが位置するようにオーバーキャップ１４をキャップ本体１２に装着して組み付ける。この状態で、該筒状受け部１２ｂの内側に筒状部２０が位置し、外側で外周を覆うように前記外壁部１４ａが設けられる。また、この外壁部１４ａの内面と筒状受け部１２ｂの外面に互いに凸部が形成されて、オーバーキャップ１４の開・閉位置で係止して位置固定可能に形成されている。
【００２５】  オーバーキャップ１４の天部１６では、注出口１８から外向きの短い部分ではラッパ状に拡径するが、天部１６から内側に位置したところの絞り込まれるような最も狭い箇所が注出口１８の液流出する開口（図２（ａ）に示す開口面積Ｓ１）になる。また、キャップ本体１２には、筒状部２０に取り囲まれた軸心位置に棒状栓体１２ｃが上方に延在している構造になっている。この注出口１８に前記棒状栓体１２ｃが抜・挿して（オーバーキャップ１４が上・下して）注出口１８が開・閉する。
【００２６】  つまり、図１（ａ）に示すように、当該オーバーキャップ１４を上方に移動させたときに棒状栓体１２ｃが注出口１８から離れて開状態（開位置）になる。
【００２７】  一方、図１（ｂ）に示すように、当該オーバーキャップ１４を下方に移動させたときに棒状栓体１２ｃが注出口１８に入り込んで密着して閉状態（閉位置）になる。
【００２８】  ここで、図２に示すように、上記オーバーキャップ１４を上方へ稼動させた注出口１８の開口時に、注出口１８の開口面積をＳ１とし、キャップ本体１２の棒状栓体１２ｃ先端側におけるオーバーキャップ１４との嵌合部の先端部と、筒状部２０内壁面との間における液流路面積をＳ２としたときに、１≦（Ｓ２／Ｓ１）≦２としている。
【００２９】  １≦（Ｓ２／Ｓ１）≦２とする根拠を説明する。
【００３０】  （Ｓ２／Ｓ１）＜１の場合、内容液の排出後に容器が復元する際に、液流路面積Ｓ２部分の空気の流速が開口面積Ｓ１部分よりも大きいために、オーバーキャップ１４の注出口１８に残存した内容液がキャップ本体１２側に引き戻され易いが、液排出時にＳ２部分での抵抗が高まり、スムーズな排出を行いづらいという問題がある。
【００３１】  ２＜（Ｓ２／Ｓ１）の場合、液流路面積Ｓ２部分の空気の流速が開口面積Ｓ１部分よりも小さくなり過ぎて、オーバーキャップ１４の注出口１８に残存した内容液をキャップ本体１２側に引き戻す効果が弱くなる。
【００３２】  以上から、オーバーキャップ１４の開口面積Ｓ１と液流路面積Ｓ２との関係について、スクイズ後に容器１０が復元する際に、キャップ注出口１８から空気が取り込まれるが、液流路面積Ｓ２を開口面積Ｓ１の２倍以内とすることで、空気が通過する流速が早くなるため、内容液が注出口下部に留まりづらくなる。一方、液流路面積Ｓ２が小さ過ぎると、スムーズな排出を行いづらく、押し出しづらくなってしまうので、液流路面積Ｓ２は開口面積Ｓ１と同等以上である必要がある。したがって、オーバーキャップ１４の開口面積Ｓ１と液流路面積をＳ２との関係を、１≦（Ｓ２／Ｓ１）≦２とすることによって、オーバーキャップ１４の注出口１８に残存した内容液を引き戻し易く、かつ液排出時にも液を出し易くすることができる寸法範囲にできる。
【００３３】  また、上記オーバーキャップ１４内部の筒状部２０の内部形状が、注出口から下方に向けて漸次拡開する円錐形状を有している。
【００３４】  したがって、オーバーキャップ１４の筒状部２０の内部形状が漸次拡開する形状であるために、引き戻された内容液が壁面に伝わって内方に戻り易くなる効果を有する。
【００３５】  この場合、筒状部２０の内部形状は、ドーム状よりも、円錐形状であることで、液流路面積Ｓ２を開口面積Ｓ１の２倍以内とし易い。なお、漸次拡開する円錐形状とは、円錐形状に見なせる程度の内方又は外方に向けて凸となる円弧を持つドーム状形状でもよく、液流路面積Ｓ２及び開口面積Ｓ１の関係を確保できればよい。
【００３６】  なお、図２（ａ）において、オーバーキャップ１４を上方に移動させて注出口１８を開口している状態である。キャップの開口面積Ｓ１を示す矢印の両側端部に位置する注出口１８内面が、オーバーキャップ１４を閉じた際に、棒状栓体１２ｃが接するシール位置である。また、液流路面積Ｓ２を示す矢印の両側端が棒状栓体１２ｃの上端（先端）よりもやや下方に位置しているが、当該Ｓ２を示す矢印に対応する棒状栓体１２ｃの外周面の位置が、オーバーキャップ１４が下方に移動して閉じた際に、棒状栓体１２ｃの外周面が注出口１８の内面に接するシール位置である。  このようにシール位置を、前記棒状栓体１２ｃの上端よりもやや下方に位置させるのは、オーバーキャップ１４が閉じた際に、前記棒状栓体１２ｃの上端が注出口１８よりも突出するようにしたものである。  したがって、この棒状栓体１２ｃを突出させる構造により、注出口１８と棒状栓体１２ｃの互いが、矢印Ｓ１、Ｓ２で示す位置ですり合ってシールが確実にでき、液漏れが防止できる。
【００３７】  実施形態のプッシュプルキャップによれば、オーバーキャップ１４が、天部１６に液体を注出する注出口１８を有すると共に注出口１８を囲んで容器側に垂下する筒状部２０を有し、この筒状部２０において、注出口１８から下方に向けて、注出口１８から下の内壁を、段差や屈曲点を設けず、漸次拡開した形状（特に円錐形状）にすることで、液が局所的に留まりづらくなり、キャップ内部へ効率的に落とすことができる。発明者の知見によれば、泡飛び発生に最も影響するのは、「注出口内部に残留した液」であるので、上記の筒状部２０の内壁を、段差や屈曲点を設けず、漸次拡開した形状にすることで効果的に対処できる。
【００３８】  特に、スクイズ前後の体積変化が少なくなり易いボトル、例えば角型の断面形状を有するボトルで威力を発揮する。
【００３９】  ここで、本発明品と比較品とについて液戻り泡飛びを比較した結果を下記する。【表１】
2015159888.tif 000003
【００４０】  上記から、１≦（Ｓ２／Ｓ１）≦２の範囲内で好適な本発明品は１０秒という短い時間で液戻りが良好にでき、泡飛びが発生しないことが確認された。これに対して、比較品２では、泡飛びが無かったが、液戻りに３０秒を要することが確認された。また、比較品ｌ、３、４はいずれも３０秒の静止でも液戻りが不十分であって、泡飛びが発生することが確認された。これらから、１≦（Ｓ２／Ｓ１）≦２であることが好ましく、本発明品の有用性が明確になった。
【産業上の利用可能性】
【００４１】  本発明のプッシュプルキャップは、液体洗剤、液体柔軟剤等を収容する液体注出容器製品に利用することができる。
【符号の説明】
【００４２】１０  容器１２  キャップ本体１２ａ  下部１２ｂ  筒状受け部１２ｃ  棒状栓体１４  オーバーキャップ１４ａ  外壁部１６  天部１８  注出口２０  筒状部
【図１】
2015159888.tif 000004
【図２】
2015159888.tif 000005
【国際調査報告】
2015159888.tif 000006
2015159888.tif 000007
2015159888.tif 000008
2015159888.tif 000009